(57)【要約】【課題】表示装置の表示画面の視認性を向上させると共に、表装パネルの必要な強度を確保し、かつ外装カバーに対する表示パネル及び表装パネルの十分な保持を可能にしつつ、電子機器の小型化及び薄型化を実現する仕組み提供する。【解決手段】表示装置は、表示パネル９に固定されて、表示パネル９の表示面を覆うタッチパネル８と、タッチパネル８の表示パネル９の外形から突出する周縁部が矩形枠状の両面テープ１９を介して接着固定され、表示パネル９及びタッチパネル８を収容する外装カバー１４と、表示パネル９の表示面と反対側の面に両面テープ２０を介して接着固定されられる押さえ部材１８と、を備える。外装カバー１４には、タッチパネル８に対して外装カバー１４から離れる方向に力が作用した際に、押さえ部材１８の押さえ面１８ｂが当接してタッチパネル８及び表示パネル９の外装カバー１４から離れる方向の移動を規制する受け面１４ｃが形成される。【選択図】図５
2015156000.tif 000002
【特許請求の範囲】
【請求項１】
表示装置を有する電子機器であって、
前記表示装置は、
表示パネルと、
前記表示パネルに固定されて、前記表示パネルの表示面を覆う表装パネルと、
前記表装パネルの前記表示パネルの外形から突出する周縁部が接着固定され、前記表示パネル及び前記表装パネルを収容する外装カバーと、
前記表示パネルの前記表示面と反対側の面に設けられる押さえ部材と、を備え、
前記外装カバーには、前記表装パネルに対して前記外装カバーから離れる方向に力が作用した際に、前記押さえ部材が当接して前記表装パネル及び前記表示パネルの前記外装カバーから離れる方向の移動を規制する受け面が形成されることを特徴とする電子機器。
【請求項２】
前記表装パネルは、前記外装カバーに対して枠状の両面テープを介して接着固定されることを特徴とする請求項１に記載の電子機器。
【請求項３】
前記押さえ部材は、複数配置され、それぞれ前記表示パネルに対して両面テープを介して接着固定されることを特徴とする請求項１又は２に記載の電子機器。
【請求項４】
前記押さえ部材は、３つ配置され、３つの前記押さえ部材を線で結んで形成される三角形の重心は、前記表装パネルの中心になるように配置されることを特徴とする請求項３に記載の電子機器。
【請求項５】
前記表装パネルは、タッチパネルであることを特徴とする請求項１乃至４のいずれか一項に記載の電子機器。
【請求項６】
前記押さえ部材は、前記外装カバーを貫通して前記表装パネルの前記表示パネルの外形から突出する部分に先端が近接配置される腕部を有し、前記腕部の先端は、避雷針として機能することを特徴とする請求項５に記載の電子機器。
【請求項７】
前記押さえ部材は、前記外装カバーの前記受け面に対して隙間を有して近接配置される押さえ面を有することを特徴とする請求項１乃至６のいずれか一項に記載の電子機器。
【発明の詳細な説明】
【技術分野】
【０００１】
本発明は、例えばデジタルカメラやデジタルビデオカメラ、携帯端末等の電子機器に関する。
【背景技術】
【０００２】
例えばデジタルカメラなどの電子機器では、液晶等の表示パネルと一体化したタッチパネルや保護パネル等の表装パネルを矩形枠状の両面テープで外装カバーに貼り付けた表示装置を備えるものがある（特許文献１）。
【先行技術文献】
【特許文献】
【０００３】
【特許文献１】特開２０１２−６５０４４号公報
【発明の概要】
【発明が解決しようとする課題】
【０００４】
ところで、電子機器の小型化及び薄型化が進む一方で、表示装置の表示画面の視認性を向上させるため表示画面を大型化されている。その結果外装カバーの表示画面を囲む額縁部分の面積を小さくする狭額縁化が求められている。そのため、表示パネルと一体化した表装パネルを外装カバーに固定するための矩形枠状の両面テープが幅狭になり、外装カバーに対する表示パネル及び表装パネルの保持力が低下する。
【０００５】
また、電子機器の小型化及び薄型化に伴い、機器全体の強度が不足し、機器に対して押圧等の過度な荷重が作用した場合に、表装パネルが割れる可能性がある。そのため、表装パネルの材質を樹脂から強化ガラスに変更することで必要な強度を確保しているが、強化ガラスに変更すると、表装パネルの重量が増してしまう。このため、外装カバーに対する表示パネル及び表装パネルの保持を矩形枠状の両面テープの接着力だけで行うことが難しくなってきている。
【０００６】
そこで、本発明は、表示装置の表示画面の視認性を向上させると共に、表装パネルの必要な強度を確保し、かつ外装カバーに対する表示パネル及び表装パネルの十分な保持を可能にしつつ、電子機器の小型化及び薄型化を実現する仕組みを提供することを目的とする。
【課題を解決するための手段】
【０００７】
上記目的を達成するために、本発明は、表示装置を有する電子機器であって、前記表示装置は、表示パネルと、前記表示パネルに固定されて、前記表示パネルの表示面を覆う表装パネルと、前記表装パネルの前記表示パネルの外形から突出する周縁部が接着固定され、前記表示パネル及び前記表装パネルを収容する外装カバーと、前記表示パネルの前記表示面と反対側の面に設けられる押さえ部材と、を備え、前記外装カバーには、前記表装パネルに対して前記外装カバーから離れる方向に力が作用した際に、前記押さえ部材が当接して前記表装パネル及び前記表示パネルの前記外装カバーから離れる方向の移動を規制する受け面が形成されることを特徴とする。
【発明の効果】
【０００８】
本発明によれば、表示装置の表示画面の視認性を向上させると共に、表装パネルの必要な強度を確保し、かつ外装カバーに対する表示パネル及び表装パネルの十分な保持を可能にしつつ、電子機器の小型化及び薄型化を実現することができる。
【図面の簡単な説明】
【０００９】
【図１】本発明の電子機器の第１の実施形態であるデジタルカメラを背面側から見た斜視図である。
【図２】（ａ）は表示ユニットを背面側から見た斜視図、（ｂ）は（ａ）に示す表示ユニットの分解斜視図である。
【図３】表示装置の分解斜視図である。
【図４】（ａ）は表示パネルの裏面（表示面の反対側の面）に押さえプレートを固定する前の状態を示す斜視図、（ｂ）は表示パネルの裏面に押さえプレートを固定した後の状態を示す斜視図である。
【図５】図４（ｂ）のＢ−Ｂ線拡大断面図である。
【図６】（ａ）は本発明の電子機器の第２の実施形態であるデジタルカメラにおいて、表示パネルの裏面に押さえプレートを固定する前の状態を示す斜視図、（ｂ）は表示パネ９の裏面に押さえプレートを固定した後の状態を示す斜視図である。
【図７】図６（ｂ）のＣ−Ｃ線拡大断面図である。
【発明を実施するための形態】
【００１０】
以下、図面を参照して、本発明の実施形態を説明する。
【００１１】
（第１の実施形態）
図１は、本発明の電子機器の第１の実施形態であるデジタルカメラを背面側から見た斜視図である。
【００１２】
本実施形態のデジタルカメラは、図１に示すように、カメラ本体１の上面部に電源ボタン２、モードダイアル３、露出補正ダイアル４、レリーズボタン５、アクセサリシュー６、及びポップアップ式の内蔵ストロボユニット７が設けられる。カメラ本体１の正面側には、不図示のレンズ鏡筒が設けられる。また、カメラ本体１の背面側には、後述する表示ユニット１１の表示装置１２が設けられ、表示装置１２の側部には、各種操作ボタン部１０が設けられる。
【００１３】
図２（ａ）は表示ユニット１１を背面側（カメラ本体１側）から見た斜視図、図２（ｂ）は図２（ａ）に示す表示ユニット１１の分解斜視図である。
【００１４】
図２（ａ）及び図２（ｂ）に示すように、表示ユニット１１は、カメラ本体１に固定されるヒンジ機構１３と、ヒンジ機構１３を介してカメラ本体１に対して開閉方向に回動可能に支持される表示装置１２とを有する。表示装置１２をヒンジ機構１３を介してカメラ本体１に対して所定角度回動操作することで、所謂自分撮りやハイアングル撮影が可能になる。
【００１５】
表示装置１２は、タッチパネル８（図３参照）と、ＬＣＤで構成される表示パネル９と、タッチパネル８及び表示パネル９を収容する外装カバー１４と、表示パネル９及びタッチパネル８とカメラ本体１内の制御回路とを電気的に接続するＦＰＣ１５とを備える。表示パネル９には、タッチパネル８と電気接続されたＦＰＣ１６が設けられ、ＦＰＣ１６は、ＦＰＣ１５に実装されたコネクタ１７に接続される。なお、本実施形態では、表装パネルとして、強化ガラスからなるタッチパネル８を例示するが、表示パネル９を保護する保護パネルであってもよい。
【００１６】
図３は、表示装置１２の分解斜視図である。なお、図３では、ＦＰＣ１５の図示は省略している。図３に示すように、タッチパネル８には、表示パネル９の表示領域と略同一のタッチ領域が設けられ、タッチ領域の外側には、引き出し用の配線パターンが形成される。タッチパネル８の外形は、表示パネル９より大きく、表示パネル９を覆うように表示パネル９に固定されている。
【００１７】
本実施形態では、タッチパネル８と表示パネル９との間にＵＶ硬化樹脂３０（図５参照）を充填して硬化させることでタッチパネル８を表示パネル９に固定しているが、固定方法は特に限定されない。表示パネル９と一体化されたタッチパネル８は、表示パネル９より外形が大きいため、外装カバー１４への組み付けは、表示パネル９を外装カバー１４の開口部１４ａに外側から挿入する。そして、タッチパネル８の表示パネル９から突出する周縁部を矩形枠状の両面テープ１９で外装カバー１４に接着固定する。
【００１８】
表示パネル９の裏面（表示面と反対側の面）の図３の上下長辺部及び左短辺部には、それぞれ押さえプレート１８が両面テープ２０を介して外装カバー１４の内側から接着固定されている。３つの押さえプレート１８を線で結んで形成される三角形の重心は、タッチパネル８の略中心になるように配置される。これにより、表示パネル９にかかる衝撃を３つの押さえプレート１８で均等に受けるようにして、一つの押さえプレート１８にかかる衝撃を緩和している。押さえプレート１８は、本発明の押さえ部材の一例に相当する。
【００１９】
図４（ａ）は表示パネル９の裏面に押さえプレート１８を固定する前の状態を示す斜視図、図４（ｂ）は表示パネル９の裏面に押さえプレート１８を固定した後の状態を示す斜視図である。なお、図４（ｂ）は、図２（ｂ）のＡ部拡大図に相当する。
【００２０】
押さえプレート１８は、ステンレズ板等で形成され、図４に示すように、表示パネル９と平行な固定面１８ａと、固定面１８ａと平行でかつ固定面１８ａより狭い押さえ面１８ｂと、固定面１８ａと押さえ面１８ｂとを接続する接続面１８ｃとで構成される。押さえ面１８ｂ及び接続面１８ｃは、２回の折り曲げにより形成され、これにより、強度を高めて変形しにくい構造としている。固定面１８ａが両面テープ２０で表示パネル９に接着されることで、押さえプレート１８が表示パネル９に固定される。
【００２１】
外装カバー１４には、押さえプレート１８の押さえ面１８ｂより若干大きい開口部１４ｂが形成され、開口部１４ｂに収まるように押さえ面１８ｂを挿入することで、押さえプレート１８の外装カバー１４に対する位置決めがなされる。また、表示パネル９に固定された状態の押さえプレート１８の押さえ面１８ｂは、外装カバー１４の受け面１４ｃに対して隙間を有して近接配置されるか、又は受け面１４ｃに当接配置される。
【００２２】
図５は、図４（ｂ）のＢ−Ｂ線拡大断面図である。表示パネル９は、図５に示すように、液晶材料を封入して両面に偏光板を貼り付けた液晶ガラス２１と、液晶ガラス２１に光を照射するバックライト２２とを備える。バックライト２２は、不図示の発光ダイオード、導光板２２ａ、光学シート２２ｂ、及びバックライトフレーム２２ｃと、これらを収容する板金等で形成された液晶ケース２３とで構成されている。
【００２３】
バックライトフレーム２２ｃが液晶ケース２３から外れないように、液晶ケース２３には、切り欠き部２３ａが設けられ、切り欠き部２３ａには、バックライトフレーム２２ｃに形成された凸部２２ｄが嵌合されている。バックライトフレーム２２ｃと液晶ガラス２１は両面テープ２４で固定されている。
【００２４】
以上のように、表示装置１２は、表示パネル９の裏面側に配置される液晶ケース２３に固定した押さえプレート１８とタッチパネル８との間に表示パネル９を挟む構造となっている。そして、表示パネル９の表示面側には、タッチパネル８がＵＶ硬化樹脂３０等により固定され、タッチパネル８は、両面テープ１９により外装カバー１４に固定される。また、押さえプレート１８は、外装カバー１４に対して位置決めされた状態で押さえ面１８ｂが外装カバー１４の受け面１４ｃに対して隙間を有して近接配置されるか、受け面１４ｃに当接配置される。
【００２５】
このため、タッチパネル８に対して外装カバー１４（両面テープ１９）から離れる方向に力が作用した際に、押さえプレート１８の押さえ面１８ｂが外装カバー１４の受け面１４ｃに当接することになる。これにより、表示パネル９及びタッチパネル８は、外装カバー１４から離れる方向の移動が規制され、両面テープ１９から剥がれることなく、外装カバー１４に対して確実に保持される。
【００２６】
また、表示パネル９の液晶ケースに固定される押さえプレート１８の固定面１８ａを広くすることができるので、両面テープ２０を大型化することができ、表示パネル９の狭額縁化に影響を受けることなく、接着強度を向上させることができる。更に、表示パネル９が表示面に沿って若干動いても、押さえ面１８ｂが外装カバー１４と液晶ケース２３との間に挟まれることがないため、押さえ面１８ｂを外装カバー１４の受け面１４ｃに確実に当接させることができる。
【００２７】
バックライトフレーム２２ｃは、バックライト２２の輝度が向上するように一般的に白色の樹脂成形品とされている。そのため、バックライト２２が点灯すると、バックライトフレーム２２ｃの凸部２２ｄが嵌合される液晶ケース２３の切り欠き部２３ａからバックライトフレーム２２ｃの光が漏れる。
【００２８】
切り欠き部２３ａから漏れた光は、カメラ本体１の撮像素子などで受光されてノイズとなる問題や外装カバー１４の隙間から外に漏れて外観品位を低下させるという問題を発生させる原因になる。
【００２９】
そこで、本実施形態では、押さえプレート１８を液晶ケース２３の切り欠き部２３ａを覆うように液晶ケース２３に固定することで、切り欠き部２３ａからの光漏れを防止している。
【００３０】
液晶ガラス２１には、液晶材料を封入するための不図示の封口部が形成されており、封入した液晶材料が外に漏れないように封口部はＵＶ硬化樹脂で閉塞されている。そのため、封口部には、ガラスとＵＶ硬化樹脂との境界が存在し、表示パネル９に外力が加わった際に、境界で表示パネル９の割れが発生しやすい問題がある。
【００３１】
そこで、本実施形態では、封口部を覆う位置に押さえプレート１８の押さえ面１８ｂを配置することで、表示パネル９の封口部近傍に伝わる外力を低減させ、表示パネル９の割れを防止している。
【００３２】
以上説明したように、本実施形態では、表示画面の狭額縁化で両面テープ１９が幅狭になることによるパネル８，９の保持力低下や強度向上によるタッチパネル８の重量増加があっても、衝撃等で外装カバー１４からパネル８，９が外れるのを防止することができる。これにより、表示装置１２の表示画面の視認性を向上させると共に、タッチパネル８の必要な強度を確保し、かつ外装カバー１４に対する表示パネル９及びタッチパネル８の十分な保持を可能にしつつ、カメラの小型化及び薄型化を実現することができる。
【００３３】
なお、表示パネル９の狭額縁化により押さえプレート１８近傍の空間的余裕が確保できない場合には、押さえ面１８ｂを形成することなく、接続面１８ｃの端面を直接外装カバー１４の受け面１４ｃに近接配置または当接させてもよい。その場合は、接続面１８ｃの端面が外装カバー１４と液晶ケース２３との間に挟まれることのないように押さえプレート１８を組み付ける。
【００３４】
また、本実施形態では、押さえプレート１８を３カ所に配置したが、２カ所に配置してもよい。また、複数配置した押さえプレート１８のうちの少なくとも１つの押さえプレート１８を液晶ケース２３と一体に形成してもよい。
【００３５】
（第２の実施形態）
次に、図６及び図７を参照して、本発明の電子機器の第２の実施形態であるデジタルカメラについて説明する。図６（ａ）は表示パネル９の裏面に押さえプレート１８を固定する前の状態を示す斜視図、図６（ｂ）は表示パネル９の裏面に押さえプレート１８を固定した後の状態を示す斜視図である。図７は、図６（ｂ）のＣ−Ｃ線拡大断面図である。なお、本実施形態では、上記第１の実施形態と重複又は相当する部分については、各図に同一符号を付して説明する。
【００３６】
図６に示すように、本実施形態の押さえプレート１８は、ステンレズ板等で形成され、表示パネル９と平行な固定面１８ａと、固定面１８ａと平行でかつ固定面１８ａより狭い押さえ面１８ｂと、固定面１８ａと押さえ面１８ｂを接続する接続面１８ｃとを有する。押さえ面１８ｂは、固定面１８ａの上辺部の長手方向（図の左右方向）に互いに離間して２カ所配置され、同様に、接続面１８ｃも固定面１８ａの上辺部の長手方向（図の左右方向）に互いに離間して２カ所配置されている。
【００３７】
押さえプレート１８の２カ所の押さえ面１８ｂ及び接続面１８ｃの間には、固定面１８ａの上辺部中央からタッチパネル８に向けて延びる腕部１８ｄが設けられ、腕部１８ｄの先端は、避雷針部になっている。固定面１８ａが両面テープ２０で表示パネル９の液晶ケース２３に接着されることで、押さえプレート１８が表示パネル９に固定される。
【００３８】
外装カバー１４には、押さえプレート１８の押さえ面１８ｂが挿入される開口部１４ｂが形成され、開口部１４ｂに収まるように押さえ面１８ｂを挿入することで、押さえプレート１８の外装カバー１４に対する位置決めがなされる。
【００３９】
また、図６及び図７に示すように、外装カバー１４の開口部１４ｂの中央には、押さえプレート１８の腕部１８ｄが貫通する貫通孔が１４ｄが形成される。貫通孔１４ｄを貫通した腕部１８ｄの先端の避雷針部は、外装カバー１４と干渉することなく、タッチパネル８の表示パネル９の外形から突出する部分の裏面に近接配置される。また、表示パネル９に固定された状態の押さえプレート１８の押さえ面１８ｂは、外装カバー１４の受け面１４ｃに対して隙間を有して近接配置されるか、又は受け面１４ｃに当接配置される。
【００４０】
本実施形態では、上記第１の実施形態と同様に、表示装置１２は、表示パネル９の裏面側に配置される液晶ケース２３に固定した押さえプレート１８とタッチパネル８との間に表示パネル９を挟む構造となっている。そして、表示パネル９の表示面側には、タッチパネル８がＵＶ硬化樹脂３０等により固定され、タッチパネル８は、両面テープ１９により外装カバー１４に固定される。また、押さえプレート１８は、外装カバー１４に対して位置決めされた状態で押さえ面１８ｂが外装カバー１４の受け面１４ｃに対して隙間を有して近接配置されるか、受け面１４ｃに当接配置される。
【００４１】
このため、タッチパネル８に対して外装カバー１４（両面テープ１９）から離れる方向に力が作用した際に、押さえプレート１８の押さえ面１８ｂが外装カバー１４の受け面１４ｃに当接することになる。これにより、表示パネル９及びタッチパネル８は、外装カバー１４から離れる方向の移動が規制され、両面テープ１９から剥がれることなく、外装カバー１４に対して確実に保持される。
【００４２】
また、避雷針として機能する押さえプレート１８の腕部１８ｄの先端がタッチパネル８近傍位置に配置されるため、タッチパネル８と外装カバー１４との隙間から侵入した静電気が避雷針に誘導されて放電され、カメラ本体１の誤動作等を防止することができる。
【００４３】
また、矩形枠状の両面テープ１９の貼り付け作業性や材料費削減を目的として、矩形枠状の両面テープ１９を複数に分割する場合は、分割部分の継ぎ目に腕部１８ｄを配置する。これにより、両面テープ１９の分割部分の継ぎ目から侵入した静電気を避雷針に誘導して放電することができ、カメラ本体１の誤動作等を防止することができる。その他の構成、及び作用効果は、上記第１の実施形態と同様である。
【００４４】
なお、本発明の構成は、上記各実施形態に例示したものに限定されるものではなく、材質、形状、寸法、形態、数、配置箇所等は、本発明の要旨を逸脱しない範囲において適宜変更可能である。
【符号の説明】
【００４５】
１  カメラ本体
８  タッチパネル
９  表示パネル
１２  表示装置
１４  外装カバー
１４ｃ  受け面
１８  押さえプレート
１８ａ  固定面
１８ｂ  押さえ面
１９  両面テープ
２０  両面テープ
【図１】
2015156000.tif 000003
【図２】
2015156000.tif 000004
【図３】
2015156000.tif 000005
【図４】
2015156000.tif 000006
【図５】
2015156000.tif 000007
【図６】
2015156000.tif 000008
【図７】
2015156000.tif 000009